(57)【要約】【課題】洗浄用水の水位を減らし、少量の洗浄用水で効率的に洗浄を行うことができるレンジフードのフィルタを提供することを目的としている。【解決手段】複数枚の円盤状のフィルタ板６を同心にして所定間隔で積層したフィルタユニット１と、前記フィルタユニット１を収め、洗浄用水を貯めるケーシング２と、前記フィルタ板６の中心を軸にして前記フィルタユニット１を回転させる駆動手段５を有し、それぞれの前記フィルタ板６の間には、前記フィルタユニット１を回転させるときに前記洗浄用水をくみ上げる水保持手段７を備えたレンジフード用のフィルタ。【選択図】図１
2019027678.tif 000002
【特許請求の範囲】
【請求項１】
複数枚の円盤状のフィルタ板を同心にして所定間隔で積層したフィルタユニットと、
前記フィルタユニットを収め、洗浄用水を貯めるケーシングと、
前記フィルタ板の中心を軸にして前記フィルタユニットを回転させる駆動手段を有し、
それぞれの前記フィルタ板の間には、前記フィルタユニットを回転させるときに前記洗浄用水をくみ上げる水保持手段を備えたレンジフード用のフィルタ。
【請求項２】
前記水保持手段は、前記洗浄用水をくみ上げるひしゃく部と、油煙を捕集する捕集部を備えた請求項１記載のレンジフード用のフィルタ。
【請求項３】
前記ひしゃく部は、前記駆動手段による回転によって、最下点付近で前記洗浄用水をくみ上げ、頂点付近でくみ上げた前記洗浄用水を放出するような断面Ｕ字状とした請求項２記載のレンジフード用のフィルタ。
【請求項４】
前記捕集部は、前記ひしゃく部の外周側の端部から周方向に壁状に伸びた形状である請求項３記載のレンジフード用のフィルタ。
【請求項５】
前記水保持手段は、前記フィルタ板を切り起こして形成し、
前記フィルタユニットを構成する前記フィルタ板は、隣接する前記フィルタ板と前記水保持手段の頂部と接するように積層された請求項１から４いずれかひとつに記載のレンジフード用のフィルタ。
【請求項６】
請求項１から５いずれかひとつに記載のレンジフード用のフィルタを備えたレンジフード。
【発明の詳細な説明】
【技術分野】
【０００１】
本発明は、空気の汚れである微小物を除去するフィルタに関する。
【背景技術】
【０００２】
従来、この種のレンジフードには調理で発生する油煙や埃等を捕集する目的としてフィルタが取り付けられているものが知られている（例えば、特許文献１参照）。
【０００３】
以下、そのレンジフードについて図７を参照しながら説明する。
【０００４】
図７は特許文献１に開示されている他の従来のレンジフード１００の構成図である。
【０００５】
レンジフード１００は、吸込口１０１とファン１０２との間に設けられるフィルタ１０３を備える。フィルタ１０３は略水平に延びる回転軸１０４で回転できる。フィルタ１０３の回転軸１０４より下方の部分が、洗浄タンク１０６に収容された洗浄用水１０５に浸漬される。フィルタ１０３の回転軸１０４より上方の部分には油、埃等の汚れを含む空気が通過してその汚れが付着している。フィルタ１０３を回転軸１０４で回転させることで、汚れが付着した部分を回転軸１０４より下方に位置させて洗浄用水１０５に浸漬させて洗浄する。
【先行技術文献】
【特許文献】
【０００６】
【特許文献１】特開平６−１３７６３０号公報
【発明の概要】
【発明が解決しようとする課題】
【０００７】
このような従来のレンジフードでは、汚れがフィルタに堆積するため、フィルタ全体を洗浄用水に浸漬させる必要があり、円盤型フィルタの中心軸よりも下方を含む半径分以上を浸漬できるような洗浄用水の水位が必要であった。そこで本発明は、上記従来の課題を解決するものであり、洗浄用水の水位を減らし、少量の洗浄用水で効率的に洗浄を行うことができるレンジフードのフィルタを提供することを目的としている。
【課題を解決するための手段】
【０００８】
本発明のレンジフードは、上記目的を達成するために、複数枚の円盤状のフィルタ板を同心にして所定間隔で積層したフィルタユニットと、前記フィルタユニットを収め、洗浄用水を貯めるケーシングと、前記フィルタ板の中心を軸にして前記フィルタユニットを回転させる駆動手段を有し、それぞれの前記フィルタ板の間には、前記フィルタユニットを回転させるときに前記洗浄用水をくみ上げる水保持手段を備えたものである。
【０００９】
この手段により、洗浄用水の水位を減らし、少量の洗浄用水で効率的に洗浄を行うことができる。
【発明の効果】
【００１０】
本発明によれば、フィルタに水保持手段を設け、水保持手段はフィルタ回転と同時にフィルタ下部にある洗浄用水をフィルタ上方部分にまで運び、水保持手段がフィルタの上方部分で下方に向けて流化させるので洗浄用水をフィルタ内周に行き渡らせることができるため、水位は水保持手段が洗浄用水で浸かるまででよく、洗浄用水の水位を減らすことが可能となり、少量の洗浄用水で効率的に洗浄を行うことができる。
【図面の簡単な説明】
【００１１】
【図１】本発明の実施の形態１のレンジフードフィルタとケーシングの側面構成図
【図２】同レンジフードフィルタのフィルタユニットの正面図
【図３】同レンジフードフィルタを用いたレンジフードの構成図
【図４】同レンジフードフィルタのフィルタ板に設けた水保持手段の側面構成図
【図５】同レンジフードフィルタの水保持手段の切り起こしの構成図
【図６】同レンジフードフィルタのフィルタ板の接続部の（ａ）差し込み状態の構成図、（ｂ）接続状態の構成図
【図７】従来のレンジフード構成図
【発明を実施するための形態】
【００１２】
本発明の請求項１記載のレンジフードフィルタは、複数枚の円盤状のフィルタ板を同心にして所定間隔で積層したフィルタユニットと、前記フィルタユニットを収め、洗浄用水を貯めるケーシングと、前記フィルタ板の中心を軸にして前記フィルタユニットを回転させる駆動手段を有し、それぞれの前記フィルタ板の間には、前記フィルタユニットを回転させるときに前記洗浄用水をくみ上げる水保持手段を備える構成とするものである。
【００１３】
これにより、水保持手段はフィルタ回転と同時にフィルタ下部にある洗浄用水をフィルタ上方部分にまで運び、水保持手段がフィルタの上方部分で下方に向けて流化させるので洗浄用水をフィルタ内周に行き渡らせることができるため、水位は水保持手段が洗浄用水で浸かるまででよく、洗浄用水の水位を減らすことが可能となり、少量の洗浄用水で効率的に洗浄を行うことができる。
【００１４】
また、水保持手段は、洗浄用水をくみ上げるひしゃく部と、油煙を捕集する捕集部を備えてもよい。これにより、フィルタ板だけでなく、捕集部にも油煙を捕集することができるため、捕集率を上げることができる。
【００１５】
また、ひしゃく部は、駆動手段による回転によって、最下点付近で洗浄用水をくみ上げ、頂点付近でくみ上げた洗浄用水を放出するような断面Ｕ字状で構成としてもよい。これにより、回転と同時に水を効率的にすくい上げて、保持することができる。
【００１６】
また、捕集部は、ひしゃく部の外周側の端部から周方向に壁状に伸びた形状で構成してもよい。これにより、洗浄と油煙捕集を同部材で行うことができ、部品数を減らすことができる。また、水のくみ上げと同時に油捕集部を洗浄することができるため、油捕集部を洗浄する手段が要らず、少量の洗浄用水でフィルタ全体を洗浄することができる。
【００１７】
また、水保持手段は、前記フィルタ板を切り起こして形成し、前記フィルタユニットを構成する前記フィルタ板は、隣接する前記フィルタ板と前記水保持手段の頂部と接するように積層された構成してもよい。これにより、水保持手段は新たな部材を使用することがなく、積層部材を新たに設けることなく、積層することができるため、部品数を減らすことできる。
【００１８】
以下、本発明の実施の形態について図面を参照しながら説明する。
【００１９】
（実施の形態１）
本実施の形態によるレンジフード用のフィルタについて説明をする。図１に示すように、フィルタユニット１は、箱型のケーシング２に収められており、ケーシング２はフィルタユニット１の上面・下面・側面部・背面部を囲うように配置されている。
【００２０】
フィルタユニット１は、複数枚の円盤状のフィルタ板６を積層した構成となっている。フィルタ板６は水保持手段７を挟んで所定間隔で積層されている。図２に示すように、フィルタ板６は円盤状であり、フィルタ板６中心部には油煙を吸込む開口９が空いており、水保持手段７がフィルタ板６の外周に備えられている。複数のフィルタ板６は、同心に積層されている。
【００２１】
ケーシング２の正面は、開口８を有し、この開口８がレンジフード用にフィルタ５０の吸込口３となっている。ケーシング２の上面部には、排出口４が設けられている。ケーシング２の正面に設けた開口８（吸込口３）とフィルタ板６に設けた開口９とは対向し、言わば一直線上に並んでいる。
【００２２】
吸込口３は、フィルタユニット１の上面、言い換えると頂点に相当する位置を開口８の上端部とし、フィルタユニット１の中心よりやや下の位置を開口８の下端部としている。そして、吸込口３の下端部より下方、すなわち、ケーシング２の下部には洗浄用水を貯めることができる構成となっている。
【００２３】
また、ケーシング２背面部には、フィルタ板６の中心を軸にした駆動手段５を有している。駆動手段５は、電動機を用いると良い。この駆動手段５を駆動することにより、フィルタユニット１は回転することになる。
【００２４】
図３を用いて、レンジフード用のフィルタ５０を用いたレンジフード１６について説明する。レンジフード１６は、箱体の形状を成す本体１７と、本体１７の下部で平面積を本体１７よりも大きくして配置したフード部１８を備えている。すなわち、フード部１８は、本体１７の底面側に配置し、正面を含む３方を、平面視において本体１７よりも外側に延設したものである。
【００２５】
本体１７は、天面に本体１７内の空気を室外へ排出するための排出口４を備えている。フード部１８は、下面に下部開口部１９を備え、逆さに向けた盆形状を成している。言い換えると、フード部１８の側面は、上辺あるいは下辺の長さよりも高さが低くなっている。フード部１８の正面にはレンジフード１６の操作部２０が備えられている。本体１７は、背面を壁面２１に設置している。本体１７の天面に配置されている排出口４にはダクト２２が接続され、ダクト２２の先には排気ユニット２３を備えている。排気ユニット２３は天井２４に配置されている。排気ユニット２３は、排出口４と連通するとともに、調理器具（図示せず）の上方で調理器具から発生する油煙や周囲に浮遊する埃等を捕集できるようにフード部１８に連通している。フード部１８の下部開口部１９の中央部には整流板２５を配置して、整流板２５の外周部に吸込口３を形成している。排気ユニット２３の内部には、羽根車を備えた排気ファンとしての送風機を備えている。
【００２６】
フィルタ５０は、本体１７の内部に設けられている。フィルタ５０は、駆動手段５の回転軸をほぼ水平にして配置されている。
【００２７】
また、本体１７には、洗浄用液を貯水する貯水装置２６と給水ポンプ２７が設けられている。給水ポンプ２７は、その運転により洗浄用液をケーシング２の下部に給水する。詳しくは後述するが、この状態でフィルタユニット１を回転させることによって、フィルタ板６を洗浄することになる。
【００２８】
以上の構成により、油煙は、フィルタ板６が積層されて出来た油煙流入口から、フィルタ板６間を通過し、通過の際に慣性力によりフィルタ板６と接触することで、フィルタ板６に捕集される。
【００２９】
一方、汚れたフィルタ板６を洗浄するには、ケーシング２内に洗浄用液が給水された状態で、フィルタユニット１を駆動手段５により回転する。フィルタユニット１が回転することによって、洗浄用液に浸漬されているフィルタ板６が洗浄されることになる。フィルタ板６の洗浄用液に浸漬してない部分については、フィルタユニット１の回転によって、水保持手段７が洗浄用液をくみ上げる。くみ上げられた洗浄溶液は、フィルタ板６頂部付近で下方にかけ流される。このようにして、フィルタ板６全体に洗浄用液がかかり、フィルタ板６全面を洗浄することができる。また、一定時間の回転が終わると排水口２８が開き、洗浄用水を排水受け２９に排出することができ、これにより洗浄が完了される。
【００３０】
このようにして、フィルタ板６で捕集された油煙は、フィルタユニット１が回転することによって、ケーシング２に貯められた洗浄用液をフィルタ上方部分にまで運ぶことができる。そして、水保持手段７がフィルタユニット１の上方部分で下方に向けて流下させるので洗浄用液をフィルタ板６の全面に行き渡らせることができる。そのため、ケーシング２における洗浄溶液の水位は水保持手段７が洗浄溶液をくみ上げることができる程度でよく、少量の洗浄用液で効率的に洗浄を行うことができる。
【００３１】
水保持手段７は、フィルタユニット１の回転によって水をくみ上げる形状であれば、その形状、形態を限定するものではない。水車のように枡を外周に配置したり、図２に示すようなひしゃく状のものでもよい。
【００３２】
さらには、枡やひしゃく部の底部に、小さなパンチングまたはスリットなどの開口を設けてもよい。このような構成によれば、水を保持した水保持手段７がフィルタユニット１の上方部分に到達する前にフィルタ板６に徐々に洗浄溶液を流下することができる。頂点部分まで水保持手段７に残存した洗浄溶液は、フィルタ板６の上方部分で下方に向けて流下させるので洗浄溶液をフィルタ板６の全体に行き渡らせることができる。
【００３３】
また、図４に示すように、水保持手段７はひしゃく部１０と油煙を捕集する捕集部１１で構成してもよい。
【００３４】
ひしゃく部１０は、回転と同時に水をすくい上げて、保持出来る形状であればよい。例えば、フィルタ板６に対し垂直に断面Ｕ字型の突起が設置されている形状であり、Ｕ字の開口部分がフィルタ板６回転方向と同方向であれば良い。このようなひしゃく部１０によれば、回転と同時に水をすくい上げて、保持することができる。
【００３５】
捕集部１１は、フィルタ板６の外周付近に、外周縁に沿って壁状に設けられている。捕集部１１は、フィルタ板６に対し略垂直方向に立っている。本実施の形態では、捕集部１１は、フィルタ板６の同心円に接するように設けたが、この形態に限るものではなく、同心円の接線に対し、傾いた状態で設けても良い。
【００３６】
これにより、フィルタ板６だけでなく、捕集部１１にも油煙を捕集することができるため、捕集率を上げることができる。また、洗浄と油煙捕集を同部材で行うことができ、部品数を減らすことができる。また、水のくみ上げと同時に捕集部１１を洗浄することができるため、捕集部１１を洗浄する手段が要らず、少量の洗浄用水でフィルタ全体を洗浄することができる。
【００３７】
また、捕集部１１は穴径が空いていてもよく、パンチングやスリット、格子などの形状を有していても良い。これにより、フィルタユニット１の圧力損失を減らすことができる。
【００３８】
図５〜図６に示すように、水保持手段７は、フィルタ板６を切り起こして形成しても良
い。図５に示すように、水保持手段７は、フィルタ板６外周部の太線部分に切り込みを入れ、切り込み部１２をフィルタ板６内周部の方向にフィルタ板６面に対し垂直に立て、先端部をＵ字に曲げることで構成される。これにより垂直に立てた部分は、捕集部１１となり、Ｕ字に曲げた部分がひしゃく部１０となる。
【００３９】
また、網掛けで示した部分も同時に切り起こし、隣接するフィルタ板６と接続するための凸部１３とする。一方で凸部１３と同じ大きさの差し込み部１４がフィルタ板６に設けられている。この凸部１３と差し込み部１４は、同径の円周上に同一間隔で配置する。このような構成により、凸部１３は隣接するフィルタ板６の差し込み部１４に差し込むことができる。このようにして、隣接するフィルタ板６と接続することができる。図６に凸部１３と差し込み部１４からなる接続部１５を示す。凸部１３を差し込み部１４にはめ込み、凸部１３を折り曲げることで、接続することができる。
【００４０】
これにより、水保持手段７は新たな部材を使用することがなく、積層部材を新たに設けることなく、積層することができるため、部品数を減らすことできる。
【産業上の利用可能性】
【００４１】
洗浄用水の水位を減らし、少量の洗浄用水で効率的に洗浄を行うことができるレンジフードのフィルタを提供することができる。
【符号の説明】
【００４２】
１  フィルタユニット
２  ケーシング
３  吸込口
４  排出口
５  駆動手段
６  フィルタ板
７  水保持手段
８  開口
９  開口
１０  ひしゃく部
１１  捕集部
１２  切り込み部
１３  凸部
１４  差し込み部
１５  接続部
１６  レンジフード
１７  本体
１８  フード部
１９  下部開口部
２０  操作部
２１  壁面
２２  ダクト
２３  排気ユニット
２４  天井
２５  整流板
２６  貯水装置
２７  給水ポンプ
２８  排水口
２９  排水受け
５０  フィルタ
【図１】
2019027678.tif 000003
【図２】
2019027678.tif 000004
【図３】
2019027678.tif 000005
【図４】
2019027678.tif 000006
【図５】
2019027678.tif 000007
【図６】
2019027678.tif 000008
【図７】
2019027678.tif 000009